(57)【要約】【課題】  電子メールの添付ファイルによるウイルス感染をより確実に防止する。【解決手段】  ファイヤーウォール５０により隔離され、メールサーバ２からの通信のみが可能にメールサーバ２に接続され、電子メールに添付されている添付ファイルをメールサーバ２から受信した場合に、該添付ファイルを開いてディスプレイ５２に表示する表示装置５と、ディスプレイ５２に表示された添付ファイルをカメラ６２で撮影し、撮影した画像をメールサーバ２に送信する撮影装置６と、を備え、メールサーバ２は、撮影装置６から受信した画像をクライアント端末４１〜４ｎに配信する。【選択図】  図１
2019028739.tif 000002
【特許請求の範囲】
【請求項１】
メールサーバとクライアント端末とが通信自在に接続され、外部からの電子メールを前記メールサーバで受信して前記クライアント端末に配信する電子メール受信システムであって、
ファイヤーウォールにより隔離され、前記メールサーバからの通信のみが可能に前記メールサーバに接続され、前記電子メールに添付されている添付ファイルを前記メールサーバから受信した場合に、該添付ファイルを開いてディスプレイに表示する表示装置と、
前記ディスプレイに表示された前記添付ファイルをカメラで撮影し、撮影した画像を前記メールサーバに送信する撮影装置と、
を備え、前記メールサーバは、前記撮影装置から受信した画像を前記クライアント端末に配信する、
ことを特徴とする電子メール受信システム。
【請求項２】
前記表示装置は、前記ディスプレイへの表示開始時および前記ディスプレイへの表示が変わった際に、機械的スイッチまたは光学的スイッチを介して前記カメラによる撮影を行わせる、
ことを特徴とする請求項１に記載の電子メール受信システム。
【請求項３】
前記メールサーバは、前記画像を配信した前記クライアント端末からの要求信号に応じて、前記添付ファイルを該クライアント端末に配信する、
ことを特徴とする請求項１または２のいずれか１項に記載の電子メール受信システム。
【請求項４】
前記撮影装置は、前記画像を所定のファイル形式に変換して前記メールサーバに送信する、
ことを特徴とする請求項１から３のいずれか１項に記載の電子メール受信システム。
【請求項５】
メールサーバとクライアント端末とが通信自在に接続され、外部からの電子メールを前記メールサーバで受信して前記クライアント端末に配信する電子メール受信方法であって、
前記電子メールに添付ファイルが添付されている場合に、ファイヤーウォールにより隔離されて前記メールサーバからの通信のみが可能に前記メールサーバに接続された表示装置で、前記添付ファイルを開いてディスプレイに表示し、
前記ディスプレイに表示された前記添付ファイルをカメラで撮影し、撮影した画像を前記メールサーバに送信し、
前記メールサーバから前記クライアント端末に前記画像を配信する、
ことを特徴とする電子メール受信方法。
【発明の詳細な説明】
【技術分野】
【０００１】
この発明は、電子メールに添付されている添付ファイルを開くことでウイルスに感染するのを防止する、電子メール受信システムおよび電子メール受信方法に関する。
【背景技術】
【０００２】
受信した電子メールの添付ファイルを開くと、添付ファイルに仕込まれたウイルスに感染する、という事態が従来から発生しており、このような感染を防止するためにウイルス対策ソフトが利用されている。しかしながら、ウイルス対策ソフトは、既知のウイルスには有効であるが新しい未知のウイルスに対しては効果的ではない。
【０００３】
このため、未知のウイルスによる感染を防止するために、添付ファイルのファイル形式を変換する手法が提案されている。例えば、添付ファイルを画像化することで、当該ファイルを開くことなく内容を確認することを可能にする、という技術が知られている（例えば、特許文献１参照。）。この技術は、ヘッダ情報、ファイル名の拡張子もしくはファイル種別判定の結果を利用し、画像化が可能なデータと判断した場合に、データを画像化するものである。
【先行技術文献】
【特許文献】
【０００４】
【特許文献１】特開２０１３−１３０９８０号公報
【発明の概要】
【発明が解決しようとする課題】
【０００５】
ところで、特許文献１に記載の技術では、画像化が可能な場合にのみ、添付ファイルのデータを画像化するものであり、すべての添付ファイルを画像化できるものではない。また、画像化を行う画像化処理端末がメールサーバと通信可能に接続されているため、画像化を行う工程で画像化処理端末がウイルスに感染すると、メールサーバを介して各クライアント端末が感染するおそれがある。
【０００６】
そこでこの発明は、電子メールの添付ファイルによるウイルス感染をより確実に防止可能な、電子メール受信システムおよび電子メール受信方法を提供することを目的とする。
【課題を解決するための手段】
【０００７】
上記課題を解決するために、請求項１の発明は、メールサーバとクライアント端末とが通信自在に接続され、外部からの電子メールを前記メールサーバで受信して前記クライアント端末に配信する電子メール受信システムであって、ファイヤーウォールにより隔離され、前記メールサーバからの通信のみが可能に前記メールサーバに接続され、前記電子メールに添付されている添付ファイルを前記メールサーバから受信した場合に、該添付ファイルを開いてディスプレイに表示する表示装置と、前記ディスプレイに表示された前記添付ファイルをカメラで撮影し、撮影した画像を前記メールサーバに送信する撮影装置と、を備え、前記メールサーバは、前記撮影装置から受信した画像を前記クライアント端末に配信する、ことを特徴とする。
【０００８】
この発明によれば、電子メールに添付ファイルが添付されている場合、表示装置によってこの添付ファイルが開かれてディスプレイに表示され、ディスプレイに表示された添付ファイルがカメラで撮影される。そして、撮影された画像が撮影装置からメールサーバに送信され、メールサーバからクライアント端末に画像が配信される。
【０００９】
請求項２の発明は、請求項１に記載の電子メール受信システムにおいて、前記表示装置は、前記ディスプレイへの表示開始時および前記ディスプレイへの表示が変わった際に、機械的スイッチまたは光学的スイッチを介して前記カメラによる撮影を行わせる、ことを特徴とする。
【００１０】
請求項３の発明は、請求項１または２に記載の電子メール受信システムにおいて、前記メールサーバは、前記画像を配信した前記クライアント端末からの要求信号に応じて、前記添付ファイルを該クライアント端末に配信する、ことを特徴とする。
【００１１】
請求項４の発明は、請求項１から３に記載の電子メール受信システムにおいて、前記撮影装置は、前記画像を所定のファイル形式に変換して前記メールサーバに送信する、ことを特徴とする。
【００１２】
請求項５の発明は、メールサーバとクライアント端末とが通信自在に接続され、外部からの電子メールを前記メールサーバで受信して前記クライアント端末に配信する電子メール受信方法であって、前記電子メールに添付ファイルが添付されている場合に、ファイヤーウォールにより隔離されて前記メールサーバからの通信のみが可能に前記メールサーバに接続された表示装置で、前記添付ファイルを開いてディスプレイに表示し、前記ディスプレイに表示された前記添付ファイルをカメラで撮影し、撮影した画像を前記メールサーバに送信し、前記メールサーバから前記クライアント端末に前記画像を配信する、ことを特徴とする。
【発明の効果】
【００１３】
請求項１および請求項５の発明によれば、表示装置で添付ファイルを開いてディスプレイに表示し、表示された添付ファイルをカメラで撮影して、その画像をメールサーバからクライアント端末に配信する。つまり、添付ファイルそのものを配信するのではなく、カメラで撮影した添付ファイルの画像を配信するため、添付ファイルによってメールサーバやクライアント端末がウイルス感染することがない。また、添付ファイルを開くことで表示装置がウイルス感染するおそれがあるが、表示装置はファイヤーウォールにより隔離され、メールサーバからの通信のみが可能に接続されているため、表示装置からメールサーバにウイルスが送られることがない。このため、たとえ表示装置がウイルス感染しても、添付ファイルによってメールサーバやクライアント端末がウイルス感染することがない。このように、添付ファイルによるウイルス感染をより確実に防止することが可能となる。
【００１４】
請求項２の発明によれば、ディスプレイへの表示開始時およびディスプレイへの表示、画面が変わった際に（例えば、ページが変わった際に）、表示装置によってカメラによる撮影が行われるため、人手によらず自動的に添付ファイルを適正に撮影することができる。しかも、機械的スイッチまたは光学的スイッチを介して表示装置から撮影装置のカメラが操作されるため、たとえ表示装置がウイルス感染しても、撮影装置にウイルスが送られることがない。この結果、メールサーバやクライアント端末がウイルス感染することがなく、添付ファイルによるウイルス感染をより確実に防止することが可能となる。
【００１５】
請求項３の発明によれば、例えば、クライアントが画像を見てウイルス感染のおそれがないと判断した場合に、画像が配信されたクライアント端末からメールサーバに要求信号を送ると、添付ファイルそのものがこのクライアント端末に配信される。このため、クライアントは、添付ファイルを安心して開いてその内容を適正に知得することができる。
【００１６】
請求項４の発明によれば、画像が所定のファイル形式に変換されるため、ウイルス感染性が低いファイル形式に変換したり、クライアントにとって使い勝手がよいファイル形式に変換したりすることで、ウイルス感染をより確実に防止することや、利便性を高めることなどが可能となる。
【図面の簡単な説明】
【００１７】
【図１】この発明の実施の形態に係る電子メール受信システムを示す概略構成図である。
【図２】図１の電子メール受信システムの機械的スイッチの一例を示す概略構成図である。
【図３】図１の電子メール受信システムの光学的スイッチの一例を示す概略構成図である。
【図４】図１の電子メール受信システムの動作を示すタイミングチャートである。
【発明を実施するための形態】
【００１８】
以下、この発明を図示の実施の形態に基づいて説明する。
【００１９】
図１は、この発明の実施の形態に係る電子メール受信システム１を示す概略構成図である。この電子メール受信システム１は、メールサーバ２と各クライアント端末４１〜４ｎとが通信自在に接続され、外部からの電子メールをメールサーバ２で受信してクライアント端末４１〜４ｎに配信するシステムであり、主として、ルータ３と、表示装置５と、撮影装置６と、を備える。ここで、クライアント端末４１〜４ｎから外部に電子メールを送ることは、既存のシステムと同等の動作で可能なため、外部からの電子メールを受信する場合について、主として以下に説明する。
【００２０】
メールサーバ２は、既存のメールサーバと同様に、ネットワークを介して電子メールをクライアント端末４１〜４ｎと外部との間で送受信するためのサーバであるが、主に次のような機能、構成を備える点で、既存のメールサーバと構成が異なる。すなわち、第１に、外部から受信した電子メールに添付ファイルが添付されている場合には、その添付ファイルを表示装置５に送信する。
【００２１】
第２に、撮影装置６から添付ファイルの画像を受信した場合には、その画像と電子メールの本文を該当するクライアント端末４１〜４ｎに配信する。第３に、画像を配信したクライアント端末４１〜４ｎから要求信号を受信した場合には、該当する添付ファイルをこのクライアント端末４１〜４ｎに配信する。これらの機能については、後述する電子メール受信システム１の作用において詳述する。
【００２２】
ルータ３は、既存のルータと同様に、電子メールを含むデータ、情報を中継する通信機器であり、メールサーバ２に対して、各クライアント端末４１〜４ｎと表示装置５と撮影装置６とを通信可能に接続する。ただし、各クライアント端末４１〜４ｎと撮影装置６は、メールサーバ２と相互通信可能に接続され、表示装置５は、ファイヤーウォール５０により隔離され、メールサーバ２からの通信のみが可能にメールサーバ２に接続されている。すなわち、メールサーバ２から表示装置５への送信のみ（一方向通信）が可能で、表示装置５は送信機能を有しておらず、表示装置５からメールサーバ２への送信はできないようになっている。
【００２３】
クライアント端末４１〜４ｎは、汎用のコンピュータで構成され、既存のクライアント・サーバシステムにおけるクライアントコンピュータと同等の構成であり、電子メールを含むデータ、情報をメールサーバ２と送受信する。また、後述するように、メールサーバ２から添付ファイルの画像を受信した場合に、添付ファイルそのものを送信するようにメールサーバ２に要求できる機能を備える。すなわち、クライアントが画像を見てウイルス感染のおそれがないと判断し、添付ファイルそのものを見たい場合などに、クライアントが所定の操作をすることで、このクライアント端末４１〜４ｎからメールサーバ２に要求信号が送信されるようになっている。
【００２４】
表示装置５は、電子メールに添付されている添付ファイルをメールサーバ２から受信した場合に、この添付ファイルを開いてその内容をディスプレイ５２に表示する装置である。すなわち、表示用コンピュータ５１とディスプレイ５２とを備え、表示用コンピュータ５１がメールサーバ２から添付ファイルを受信すると、添付ファイルのファイル形式に基づく所定のプロセスに従って添付ファイルを開き、その内容をディスプレイ５２に表示する。ここで、添付ファイルの内容が複数の画面にわたる場合（例えば、複数のページを有する場合）、所定時間ごとに画面を変えて（ディスプレイへの表示を変えて）すべての内容を順次ディスプレイ５２に表示する。
【００２５】
撮影装置６は、表示装置５のディスプレイ５２に表示された添付ファイルの内容をカメラ６２で撮影し、撮影した画像をメールサーバ２に送信する装置である。すなわち、画像用コンピュータ６１とカメラ６２とを備え、後述するタイミングでディスプレイ５２の画面（添付ファイルの内容）をカメラ６２で撮影し、撮影した画像を画像用コンピュータ６１からメールサーバ２に順次送信する。ここで、画像は、静止画像であっても映像、動画（音声付き）であってもよく、添付ファイルのファイル形式などに基づいて変えてもよい。
【００２６】
また、画像用コンピュータ６１は、撮影した画像を所定のファイル形式に変換してメールサーバ２に送信する。すなわち、予め設定された、ウイルス感染性が低いファイル形式や、クライアントにとって使い勝手がよいファイル形式などに変換してメールサーバ２に送信する。
【００２７】
このような撮影装置６は、次のようなタイミングで撮影を行う。すなわち、ディスプレイ５２への表示開始時（添付ファイルをディスプレイ５２に表示し始める時）およびディスプレイ５２への表示が変わった際（ディスプレイ画面が変わった際）に、表示装置５が機械的スイッチまたは光学的スイッチを介してカメラ６２による撮影を行わせる。ここで、機械的スイッチとは、通信信号によらずに機械的にスイッチをオンしてカメラ６２を動作させるものであり、光学的スイッチとは、通信信号によらずに光学的にスイッチをオンしてカメラ６２を動作させるものである。
【００２８】
具体的に、機械的スイッチの場合、例えば、図２に示すように、表示用コンピュータ５１にシリンダ５３が伝送自在に接続され、このシリンダ５３のプランジャー５３ａが進退動自在となっている。一方、カメラ６２を制御するリモコン６３のシャッタースイッチ６３ａが、プランジャー５３ａと対向して配設され、平常時においては、プランジャー５３ａが後退してシャッタースイッチ６３ａがオフとなっている。そして、添付ファイルがディスプレイ５２に表示され始めた際に、表示用コンピュータ５１からシリンダ５３にオン信号が送られ、プランジャー５３ａが前進してシャッタースイッチ６３ａがオンされる。これにより、カメラ６２が撮影を行い、プランジャー５３ａが再び後退する。また、ディスプレイ５２への表示が変わると（次の画面が表示されると）、再び表示用コンピュータ５１からシリンダ５３にオン信号が送られ、プランジャー５３ａが前進してシャッタースイッチ６３ａがオンされ、カメラ６２が撮影を行うものである。
【００２９】
同様に、光学的スイッチの場合、例えば、図３に示すように、表示用コンピュータ５１に発光器５４が伝送自在に接続され、カメラ６２に受光器６４が伝送自在に接続されている。そして、添付ファイルがディスプレイ５２に表示され始めた際に、表示用コンピュータ５１から発光器５４にオン信号が送られて発光器５４が所定時間発光し、この光を受光器６４が受光して受光器６４からカメラ６２にオン信号が送られ、カメラ６２が撮影を行う。また、ディスプレイ５２への表示が変わると、再び表示用コンピュータ５１から発光器５４にオン信号が送られ、同様にしてカメラ６２が撮影を行う。
【００３０】
このようにして、機械的スイッチまたは光学的スイッチを介して表示装置５から撮影装置６のカメラ６２を操作するものであり、表示装置５は、メールサーバ２からの通信を除いて、メールサーバ２、ルータ３、クライアント端末４１〜４ｎおよび撮影装置６から通信遮断されている。また、添付ファイルが動画などのために映像をディスプレイ５２に表示する場合、プランジャー５３ａを前進させたままにしたり、発光器５４から発光し続けたりすることで、カメラ６２で映像と認識して映像を撮影する。ここで、リモコン６３や受光器６４をカメラ６２に接続しているが、画像用コンピュータ６１に接続し、リモコン６３や受光器６４からの信号に基づいて、画像用コンピュータ６１がカメラ６２による撮影を制御するようにしてもよい。
【００３１】
次に、このような構成の電子メール受信システム１の作用および、電子メール受信システム１による電子メール受信方法について説明する。
【００３２】
ここで、電子メール受信方法についてまず説明すると、電子メールに添付ファイルが添付されている場合に、表示装置５で添付ファイルを開いてディスプレイ５２に表示する（表示ステップ）。次に、ディスプレイ５２に表示された添付ファイルをカメラ６２で撮影し、撮影した画像をメールサーバ２に送信する（撮影ステップ）。続いて、メールサーバ２から該当するクライアント端末４１〜４ｎに画像を配信する（撮影ステップ）ものであり、表示ステップや撮影ステップを人手によって行ってもよい。
【００３３】
このような電子メール受信方法を電子メール受信システム１で実行すると、まず、図４に示すように、メールサーバ２が外部からの電子メールを受信し（ステップＳ１）、この電子メールに添付ファイルが添付されていない場合（ステップＳ２で「Ｎ」の場合）には、受信した電子メールが該当するクライアント端末４１〜４ｎにそのまま配信される（ステップＳ３）。一方、添付ファイルが添付されている場合（ステップＳ２で「Ｙ」の場合）には、添付ファイルが表示装置５に送信される（ステップＳ４）。
【００３４】
次に、表示装置５によって、受信した添付ファイルが開かれてその内容がディスプレイ５２に表示される（ステップＳ５）とともに、上記のような機械的スイッチまたは光学的スイッチがオンされる（ステップＳ６）。つまり、シリンダ５３のプランジャー５３ａが前進してリモコン６３のシャッタースイッチ６３ａがオンされたり、発光器５４が発光してカメラ６２にオン信号を送られたりする。これにより、ディスプレイ５２に表示された画面つまり添付ファイルがカメラ６２で撮影され（ステップＳ７）、撮影された画像が所定のファイル形式に変換されて、画像用コンピュータ６１からメールサーバ２に送信される（ステップＳ８）。この際、添付ファイルの内容が複数の画面にわたる場合には、所定時間ごとに画面が変わって都度撮影が行われ、撮影された画像が順次送信される。
【００３５】
次に、メールサーバ２によってすべての画像が受信されると、受信されたすべての画像と電子メールの本文とが該当するクライアント端末４１〜４ｎに配信される（ステップＳ９）。ここで、すべての画像が受信されたか否かは、例えば、一定時間画像を受信しない場合に、すべての画像が受信された（添付ファイルの撮影が終了した）と判断する。また、画像をまとめてクライアント端末４１〜４ｎに配信しているが、撮影装置６から画像を受信するたびに、順次画像をクライアント端末４１〜４ｎに配信してもよい。
【００３６】
続いて、クライアントが画像を見てウイルス感染のおそれがないと判断し、添付ファイルそのものを見たい場合などに、クライアントが所定の操作をすることで、クライアント端末４１〜４ｎからメールサーバ２に要求信号が送信される（ステップＳ１０）。そして、これを受けて、メールサーバ２からこのクライアント端末４１〜４ｎに添付ファイルが配信される（ステップＳ１１）。
【００３７】
このように、この電子メール受信システム１および電子メール受信方法によれば、表示装置５で添付ファイルを開いてディスプレイ５２に表示し、表示された添付ファイルをカメラ６２で撮影して、その画像をメールサーバ２からクライアント端末４１〜４ｎに配信する。つまり、添付ファイルそのものを配信するのではなく、カメラ６２で撮影した添付ファイルの画像を配信するため、添付ファイルによってメールサーバ２やクライアント端末４１〜４ｎがウイルス感染することがない。また、添付ファイルを開くことで表示装置５がウイルス感染するおそれがあるが、表示装置５はファイヤーウォール５０により隔離され、メールサーバ２と表示装置５がメールサーバ２からの通信のみが可能に接続されているため、表示装置５からメールサーバ２にウイルスが送られることがない。このため、たとえ表示装置５がウイルス感染しても、添付ファイルによってメールサーバ２やクライアント端末４１〜４ｎがウイルス感染することがない。このように、添付ファイルによるウイルス感染をより確実に防止することが可能となる。
【００３８】
また、ディスプレイ５２への表示開始時およびディスプレイ５２への表示、画面が変わった際に（例えば、ページが変わった際に）、表示装置５によってカメラ６２による撮影が行われるため、人手によらず自動的に添付ファイルを適正に撮影することができる。しかも、機械的スイッチまたは光学的スイッチを介して表示装置５から撮影装置６のカメラ６２が操作されるため、たとえ表示装置５がウイルス感染しても、撮影装置６にウイルスが送られることがない。この結果、メールサーバ２やクライアント端末４１〜４ｎがウイルス感染することがなく、添付ファイルによるウイルス感染をより確実に防止することが可能となる。
【００３９】
一方、例えば、クライアントが画像を見てウイルス感染のおそれがないと判断した場合に、画像が配信されたクライアント端末４１〜４ｎからメールサーバ２に要求信号を送ると、添付ファイルそのものがこのクライアント端末４１〜４ｎに配信される。このため、クライアントは、添付ファイルを安心して開いてその内容を適正に知得することができる。
【００４０】
また、撮影装置６において画像が所定のファイル形式に変換されるため、ウイルス感染性が低いファイル形式に変換したり、クライアントにとって使い勝手がよいファイル形式に変換したりすることで、ウイルス感染をより確実に防止することや、利便性を高めることなどが可能となる。
【００４１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、メールサーバ２から添付ファイルのみを表示装置５に送信しているが、添付ファイルが添付された電子メールそのものを表示装置５に送信してもよい。また、添付ファイルのみを画像化しているが、電子メールの本文も画像化するようにしてもよい。さらに、添付ファイルの画像と電子メールの本文とを一緒にメールサーバ２からクライアント端末４１〜４ｎに配信しているが、電子メールの本文のみを先に配信し、その後、撮影装置６から受信した画像を配信してもよい。
【符号の説明】
【００４２】
１        電子メール受信システム
２        メールサーバ
３        ルータ
４１〜４ｎ  クライアント端末
５        表示装置
５０      ファイヤーウォール
５１      表示用コンピュータ
５２      ディスプレイ
５３      シリンダ（機械的スイッチ）
５４      発光器（光学的スイッチ）
６        撮影装置
６１      画像用コンピュータ
６２      カメラ
６３      リモコン（機械的スイッチ）
６４      受光器（光学的スイッチ）
【図１】
2019028739.tif 000003
【図２】
2019028739.tif 000004
【図３】
2019028739.tif 000005
【図４】
2019028739.tif 000006